(57)【要約】【課題】  設定時刻においてリモコン装置が通信できない状態であっても設定時刻に点灯制御を開始することができる照明装置を提供する。【解決手段】  放電灯７に所定の発光動作をさせるべく照明制御プログラムを実行する照明制御部６０６と照明制御プログラムの実行を要求する設定信号を受信する受信部６０１と電源回路部２１とを備えた照明装置２と、操作部３０１によりユーザからの設定指示の入力が受け付けられた際に、当該設定指示を収容する設定信号を照明装置２へ送信するリモコン送信部３０５とを備えたリモコン装置３と、を備えた。そして、設定信号は、照明制御部６０６が照明制御プログラムの実行を開始する開始時刻を示す開始時刻情報を含み、照明制御部６０６は、受信部６０１により受信された設定信号に含まれる開始時刻情報に基づいて、照明制御プログラムの実行を開始するようにした。【選択図】      図２
2006059667.tif 000002
【特許請求の範囲】
【請求項１】
光を発する発光部材に電力を供給して発光させる発光部と前記発光部に予め設定された発光動作をさせるべく第１の発光制御を行う発光制御部と前記発光制御部に前記第１の発光制御を指示する第１の設定指示を収容する第１の設定信号を無線通信により受信する信号受信部と前記発光部材を発光させるための電力を取得する電力取得部とを備えた照明装置と、前記第１の設定指示の入力を受け付ける操作部と前記操作部により前記第１の設定指示の入力が受け付けられた際に、当該第１の設定指示を収容する第１の設定信号を前記照明装置へ無線通信により送信するリモコン送信部とを備えたリモコン装置と、を備えた照明システムであって、
前記第１の設定信号は、前記発光制御部が前記第１の発光制御を開始する開始時刻に関する情報である開始時刻情報を含み、
前記発光制御部は、前記信号受信部により受信された第１の設定信号に含まれる開始時刻情報に基づいて、前記第１の発光制御を開始するものであることを特徴とする照明システム。
【請求項２】
前記第１の設定信号は、前記開始時刻情報と現在時刻を表す現在時刻情報とを含み、
前記発光制御部は、時間を計時するタイマ部を備え、前記信号受信部により受信された開始時刻情報と現在時刻情報との差分を設定時間として算出して前記タイマ部に計時させ、前記タイマ部により前記設定時間が計時された場合に、前記第１の発光制御を開始するものであることを特徴とする請求項１記載の照明システム。
【請求項３】
前記照明装置は、前記電力取得部による電力の取得がなくなったことを電源断として検出する電源断検知部と、前記電源断検知部により前記電源断が検出された場合に電源断が有った旨の情報を記憶する電源断記憶部と、前記リモコン装置に前記第１の設定信号の再送を指示するための再送要求信号を無線通信により前記リモコン装置へ送信する送信部とをさらに備え、
前記発光制御部は、前記電源断記憶部に前記電源断が検出された旨の情報が記憶されていた場合、前記送信部から前記リモコン装置へ、前記再送要求信号を送信させ、
前記リモコン装置は、前記再送要求信号を受信した場合、再び前記第１の設定信号を前記リモコン送信部により送信させることを特徴とする請求項１又は２記載の照明システム。
【請求項４】
前記発光制御部は、前記信号受信部により前記第１の設定信号が受信された場合、所定の時間経過後に、前記発光部によって前記発光部材を消灯又は減光させることを特徴とする請求項１〜３のいずれかに記載の照明システム。
【請求項５】
前記発光制御部は、前記信号受信部により前記第１の設定信号が受信された場合、前記発光部材から発する光を変調することにより当該第１の設定信号に収容された第１の設定指示を表す設定情報を、当該光に重畳させるべく、前記発光部による前記発光部材への電力供給を制御するものであり、
前記リモコン装置は、前記発光部材から発する光に重畳された前記設定情報を取得する重畳情報取得部と、前記重畳情報取得部により取得された設定情報を表示する表示部とをさらに備えるものであることを特徴とする請求項１〜４のいずれかに記載の照明システム。
【請求項６】
前記リモコン装置は、さらに、前記発光部材を全点灯状態で発光させる旨を示す第２の設定指示の入力を受け付けた際に、当該第２の設定指示を収容する第２の設定信号を前記リモコン送信部により前記照明装置へ無線通信により送信するものであり、
前記発光制御部は、前記第１の発光制御を開始した後に前記信号受信部により前記第２の設定信号が受信された場合、前記発光部により前記発光部材を、前記全点灯状態よりも暗い所定の明るさで発光させることを特徴とする請求項１〜５のいずれかに記載の照明システム。
【請求項７】
前記リモコン装置は、前記第１の設定指示の入力を受け付けた際に、前記リモコン送信部により当該第１の設定信号を前記照明装置へ送信させ、さらに当該第１の設定信号に含まれる開始時刻情報で示される時刻になると、再び前記リモコン送信部により当該第１の設定信号を前記照明装置へ送信させるものであることを特徴とする請求項１〜６のいずれかに記載の照明システム。
【発明の詳細な説明】
【技術分野】
【０００１】
本発明は、照明装置とリモコン装置とを備えた照明システムに関する。
【背景技術】
【０００２】
近年、時計を備えたリモコン（遠隔制御）装置に照明の点灯時刻を設定することにより、設定時間になるとリモコン装置から照明装置本体へ照明の点灯を指示する制御信号が、赤外線通信により送信されるようにした照明装置が知られている（例えば、特許文献１参照。）。特許文献１に記載の照明装置は、光刺激により就寝者を気持ちよく目覚ませるように照明を制御するもので、例えばユーザが、就寝前に翌日の起床時刻をリモコン装置に設定すると、リモコン装置から起床時刻の３０分前に、照明装置本体へ照明の点灯を指示する制御信号が送信されるようになっている。そして、リモコン装置から点灯を指示する制御信号を受信した照明装置本体は、徐々に照明の照度を上昇させ、起床時刻に全点灯状態になるようにされている。これにより、ユーザは、深い睡眠状態から浅い睡眠状態へと導かれ、就寝者が気持ちよく目覚めるようにされている。
【特許文献１】特開２０００−３４８８７５号公報
【発明の開示】
【発明が解決しようとする課題】
【０００３】
ところで、上述のような照明装置では、ユーザが就寝前にリモコン装置に設定した起床時刻に基づいて、照明装置による点灯制御の開始時刻にリモコン装置から照明装置へ照明の点灯を指示する制御信号が送信されるので、例えばユーザが就寝中にリモコン装置を倒したり、位置や向きを変えてしまったり、布団を被せてしまう等によって、リモコン装置から照明装置へ制御信号が送信できなくなってしまう場合がある。そうすると、点灯制御の開始時刻になっても照明装置による点灯動作が開始されないという不都合があった。
【０００４】
本発明は、このような問題に鑑みて為された発明であり、リモコン装置を備えて設定時刻に点灯制御を開始するようにした照明装置において、設定時刻においてリモコン装置が通信できない状態であっても設定時刻に点灯制御を開始することができる照明装置を提供することを目的とする。
【課題を解決するための手段】
【０００５】
上述の目的を達成するために、本発明の第１の手段に係る照明システムは、光を発する発光部材に電力を供給して発光させる発光部と前記発光部に予め設定された発光動作をさせるべく第１の発光制御を行う発光制御部と前記発光制御部に前記第１の発光制御を指示する第１の設定指示を収容する第１の設定信号を無線通信により受信する信号受信部と前記発光部材を発光させるための電力を取得する電力取得部とを備えた照明装置と、前記第１の設定指示の入力を受け付ける操作部と前記操作部により前記第１の設定指示の入力が受け付けられた際に、当該第１の設定指示を収容する第１の設定信号を前記照明装置へ無線通信により送信するリモコン送信部とを備えたリモコン装置と、を備えた照明システムであって、前記第１の設定信号は、前記発光制御部が前記第１の発光制御を開始する開始時刻に関する情報である開始時刻情報を含み、前記発光制御部は、前記信号受信部により受信された第１の設定信号に含まれる開始時刻情報に基づいて、前記第１の発光制御を開始するものであることを特徴としている。
【０００６】
また、上述の照明システムは、前記第１の設定信号は、前記開始時刻情報と現在時刻を表す現在時刻情報と含み、前記発光制御部は、時間を計時するタイマ部を備え、前記信号受信部により受信された開始時刻情報と現在時刻情報との差分を設定時間として算出して前記タイマ部に計時させ、前記タイマ部により前記設定時間が計時された場合に、前記第１の発光制御を開始するものであることを特徴としている。
【０００７】
そして、上述の照明システムは、前記照明装置は、前記電力取得部による電力の取得がなくなったことを電源断として検出する電源断検知部と、前記電源断検知部により前記電源断が検出された場合に電源断が有った旨の情報を記憶する電源断記憶部と、前記リモコン装置に前記第１の設定信号の再送を指示するための再送要求信号を無線通信により前記リモコン装置へ送信する送信部とをさらに備え、前記発光制御部は、前記電源断記憶部に前記電源断が検出された旨の情報が記憶されていた場合、前記送信部から前記リモコン装置へ、前記再送要求信号を送信させ、前記リモコン装置は、前記再送要求信号を受信した場合、再び前記第１の設定信号を前記リモコン送信部により送信させることを特徴としている。
【０００８】
さらに、上述の照明システムは、前記発光制御部は、前記信号受信部により前記第１の設定信号が受信された場合、所定の時間経過後に、前記発光部によって前記発光部材を消灯又は減光させることを特徴としている。
【０００９】
また、上述の照明システムは、前記発光制御部は、前記信号受信部により前記第１の設定信号が受信された場合、前記発光部材から発する光を変調することにより当該第１の設定信号に収容された第１の設定指示を表す設定情報を、当該光に重畳させるべく、前記発光部による前記発光部材への電力供給を制御するものであり、前記リモコン装置は、前記発光部材から発する光に重畳された前記設定情報を取得する重畳情報取得部と、前記重畳情報取得部により取得された設定情報を表示する表示部とをさらに備えるものであることを特徴としている。
【００１０】
そして、上述の照明システムは、前記リモコン装置は、さらに、前記発光部材を全点灯状態で発光させる旨を示す第２の設定指示の入力を受け付けた際に、当該第２の設定指示を収容する第２の設定信号を前記リモコン送信部により前記照明装置へ無線通信により送信するものであり、前記発光制御部は、前記第１の発光制御を開始した後に前記信号受信部により前記第２の設定信号が受信された場合、前記発光部により前記発光部材を、前記全点灯状態よりも暗い所定の明るさで発光させることを特徴としている。
【００１１】
さらに、上述の照明システムは、前記リモコン装置は、前記第１の設定指示の入力を受け付けた際に、前記リモコン送信部により当該第１の設定信号を前記照明装置へ送信させ、さらに当該第１の設定信号に含まれる開始時刻情報で示される時刻になると、再び前記リモコン送信部により当該第１の設定信号を前記照明装置へ送信させるものであることを特徴としている。
【発明の効果】
【００１２】
このような構成の照明システムは、操作部により第１の設定指示の入力が受け付けられた際に、リモコン装置におけるリモコン送信部から照明装置へ開始時刻情報を含んだ第１の設定信号が無線通信により送信され、照明装置における発光制御部によって、第１の設定信号に含まれる開始時刻情報に基づいて、第１の発光制御が開始されるので、設定時刻においてリモコン装置が通信できない状態であっても設定時刻に点灯制御を開始することができる。
【発明を実施するための最良の形態】
【００１３】
以下、本発明に係る実施形態を図面に基づいて説明する。なお、各図において同一の符号を付した構成は、同一の構成であることを示し、その説明を省略する。
【００１４】
（第１実施形態）
図１は、本発明の一実施形態に係る照明システムの構成の一例を示す外観図である。また、図２は、図１に示す照明システムの構成の一例を示すブロック図である。図１に示す照明システム１は、照明装置２と、リモコン装置３と、から構成されている。照明装置２は、略円盤状の筐体４と、発光部の一例である点灯回路５と、制御ブロック６と、電力取得部の一例である電源回路部２１とを備えて構成されており、筐体４に、点灯回路５と制御ブロック６と電源回路部２１とが配設されている。そして、発光部材の一例である放電灯７及び例えばＬＥＤ（Light Emitting Diode）や豆電球等からなる補助照明８が、図略の接続コネクタにより点灯回路５と接続可能にされている。なお、放電灯７の代わりに、白熱電球、クリプトン電球、ハロゲン電球、等の発光部材を用いてもよい。
【００１５】
電源回路部２１は、例えば外部に接続された商用交流電源から電力を供給され、当該電力を取得して放電灯７や補助照明８を点灯させるための電力を点灯回路５へ供給したり、制御ブロック６の動作用電源電圧を供給したりする。点灯回路５は、例えば制御ブロック６からの調光信号ＳＣに応じて、放電灯７と補助照明８とに電力を供給して発光させたり明るさを変化させたりする回路部で、例えばインバータ回路によって構成されている。
【００１６】
制御ブロック６は、リモコン装置３から送信された例えば無線通信である赤外線通信による通信信号を受信する信号受信部の一例である受信部６０１と、リモコン装置３へ例えば無線通信である赤外線通信による通信信号を送信する送信部６０２と、例えばＲＯＭ（Read Only Memory）等の不揮発性の記憶素子を用いて構成され、点灯回路５に例えばユーザが快適に目覚めるように発光動作をさせるための起床プログラムやユーザがリラックスできるように発光強度を制御するリラックスプログラム等、複数の照明制御プログラムを予め記憶したプログラム記憶部６０３と、例えばＲＡＭ（Random Access Memory）等の揮発性の記憶素子を用いて構成され、受信部６０１により受信された設定指示情報を記憶する設定記憶部６０４と、例えばＲＴＣ（Real Time Clock）や電波時計等を用いて構成された時計部６０５と、発光制御部の一例である照明制御部６０６と、照明制御部６０６からの制御信号に応じて音声信号を出力する音声合成回路６０７と、音声合成回路６０７からの音声信号に応じて音声を発するスピーカ６０８と、ユーザによる操作入力を受け付けるスイッチ部６０９と、を備える。
【００１７】
照明制御部６０６は、例えばＣＰＵ（Central Processing Unit）を用いて構成されており、受信部６０１により受信された設定指示情報に基づいて、プログラム記憶部６０３から読み出した制御プログラムを実行することにより、通知処理部６１０、消灯処理部６１１、及び点灯処理部６１２として機能する。また、制御部６０６には、制御部６０６を動作させるためのクロック信号を供給する発振器６１３が接続されている。
【００１８】
リモコン装置３は、例えば押しボタンスイッチから構成された操作部３０１と、例えば液晶表示装置から構成された表示部３０２と、例えばＥＥＰＲＯＭ（Electrically Erasable and Programmable Read Only Memory）から構成された記憶部３０３と、例えばＣＰＵを用いて構成されたリモコン制御部３０４と、リモコン制御部３０４からの制御信号を例えば赤外線ＬＥＤを発光させて赤外線通信によって照明装置２へ送信するリモコン送信部３０５と、照明装置２から送信された例えば赤外線通信による通信信号を受信するリモコン受信部３０６と、を備える。また、操作部３０１は、設定確認指示ボタン３０７と、設定解除指示ボタン３０８とを備える。設定解除指示ボタン３０８は、複数、例えば二つの押しボタンスイッチから構成されている。そして、リモコン制御部３０４は、操作部３０１により受け付けられた設定指示情報をリモコン送信部３０５から送信させ、リモコン受信部３０６によって受信された情報を、表示部３０２に表示させる。
【００１９】
また、操作部３０１は、照明装置２に設定された設定指示情報の確認を要求する設定確認指示を受け付け、リモコン制御部３０４は、操作部３０１により受け付けられた設定確認指示を表す設定確認指示信号をリモコン送信部３０５から送信させ、リモコン受信部３０６によって受信された情報を、表示部３０２に表示させる。
【００２０】
さらに、リモコン装置３における操作部３０１は、さらに、放電灯７を全点灯状態で発光させる旨を示す操作指示（第２の設定指示）や、放電灯７の消灯を要求する操作指示等を受け付け、リモコン制御部３０４は、操作部３０１により受け付けられた操作指示を表す制御信号（第２の設定信号）をリモコン送信部３０５から送信させることにより、照明装置２に操作指示に応じた動作をさせるようになっている。
【００２１】
次に、上述のように構成された照明システム１の動作について説明する。図３は、図２に示す照明システム１の動作の一例を示すフローチャートである。また、図４は、図２に示す照明システム１の動作の一例を説明するための説明図である。
【００２２】
まず、リモコン装置３における操作部３０１によって、ユーザによる設定指示（第１の設定指示）の入力が受け付けられる（ステップＳ１）。具体的には、操作部３０１によって、例えば起床時刻の設定と、第１の発光制御に相当する制御動作を照明装置２にさせるための所定の照明制御プログラムを選択する旨の操作入力、例えば起床プログラムを選択する旨の操作入力と、が受け付けられ、リモコン制御部３０４によって、当該受け付けられた起床時刻、例えば７時を示す開始時刻情報と起床プログラムを示す情報とが設定指示情報として記憶部３０３に記憶され（ステップＳ２）、その設定指示情報を収容する設定信号（第１の設定信号）がリモコン送信部３０５から受信部６０１へ送信される（ステップＳ３）。
【００２３】
なお、リモコン制御部３０４は、例えば起床時刻として７時が設定された場合、照明装置２における照明制御部６０６に、起床時刻の３０分前から点灯制御動作を開始させるべく、７時から３０分を減じた６時３０分を開始時刻情報とする構成としてもよい。また、リモコン制御部３０４は、開始時刻情報と起床プログラムを示す情報とを設定信号に収容して同時にリモコン送信部３０５から送信させる例を示したが、例えば、操作部３０１によって起床時刻の設定が受け付けられた場合に開始時刻情報を収容した設定信号をリモコン送信部３０５から受信部６０１へ送信させ、起床プログラムを選択する旨の操作入力が受け付けられた場合に起床プログラムを示す情報を収容した設定信号をリモコン送信部３０５から受信部６０１へ送信させる構成としてもよい。
【００２４】
また、ユーザがリモコン装置３を用いて翌日の起床時刻を設定するのは、就寝前である可能性が高い。そこで、ユーザは、就寝前にリモコン装置３を用いて設定入力操作を行うものとし、リモコン制御部３０４は、就寝時に操作を行うことが適切な他の機器に対する指示コマンドを、ステップＳ３において、当該他の機器に同時に送信するようにしても良い。就寝時に操作を行うことが適切な他の機器としては、例えば、玄関扉の電子錠、玄関灯、防犯装置、あるいは他の家電製品等がある。
【００２５】
この場合、例えば、操作部３０１によって、ユーザによる設定指示の入力が受け付けられると、ステップＳ３において、リモコン制御部３０４からの制御信号に応じてリモコン送信部３０５から受信部６０１へ、例えば玄関扉の電子錠に対して「施錠」、玄関灯に対して「消灯」、防犯装置に対して「警備動作の開始」、他の家電製品に対して「電源オフ」等を指示する指示コマンドが送信されるようにしてもよい。これにより、ユーザは、就寝時に行うことが適切な機器に対する操作指示を、リモコン装置３を用いて設定入力操作を行うことにより同時に行うことができるので、利便性が向上する。
【００２６】
次に、照明装置２における受信部６０１において、リモコン送信部３０５からの設定信号が受信され（ステップＳ４）、照明制御部６０６によって、当該受信された設定信号に収容された設定指示情報が設定記憶部６０４に記憶される（ステップＳ５）。そして、通知処理部６１０によって、設定記憶部６０４に記憶された設定指示情報が送信部６０２からリモコン受信部３０６へ送信される（ステップＳ６）一方、通知処理部６１０によって、設定指示情報が音声合成回路６０７へ出力され、音声合成回路６０７から出力された信号に応じてスピーカ６０８により、例えば「起床プログラムを６時３０分に設定しました」というように、設定指示情報の内容が音声によって報知される（ステップＳ７）。
【００２７】
なお、通知処理部６１０は、ステップＳ７において、例えば点灯回路５から放電灯７への電力供給量を制御して、放電灯７を点滅させたり、放電灯７の調光レベルを視覚的に認識可能な程度の短期間変化させたりすることにより、設定指示情報が設定された旨報知するようにしてもよい。放電灯７の調光レベルを変化させる場合、例えば、現在の調光レベルが５０％以上であれば、調光レベルを調光下限付近もしくは消灯としてもよく、現在の調光レベルが５０％以下であれば、調光レベルを定格点灯付近もしくは消灯としてもよい。
【００２８】
また、通知処理部６１０は、ステップＳ７において、放電灯７の点滅回数や調光レベルの変化の回数によって、設定された設定指示情報の内容、例えば設定されたプログラムの種類や開始時刻情報を報知してもよい。具体的には、例えば開始時刻情報として７時が設定された場合、通知処理部６１０は、放電灯７を７回点滅、あるいは放電灯７の調光レベルを７回変化させるようにしてもよい。
【００２９】
また、音声合成回路６０７、及びスピーカ６０８の代わりにブザーを用いて、通知処理部６１０は、ブザー音の回数によって、設定された設定指示情報の内容を報知するようにしてもよい。
【００３０】
これにより、ユーザは、設定指示情報が照明装置２に設定された旨、あるいは設定された設定指示情報の内容を、音声による報知情報や放電灯７の点滅や調光レベルの変化あるいはブザー音によって、確認することができる。
【００３１】
他方、リモコン装置３におけるリモコン受信部３０６において、送信部６０２からの設定指示情報が受信され（ステップＳ８）、リモコン制御部３０４によって、当該受信された設定指示情報の内容、例えば設定されたプログラムの種類や開始時刻情報が表示部３０２により表示される（ステップＳ９）。
【００３２】
これにより、ユーザは、照明装置２に設定された設定指示情報の内容を、表示部３０２の表示によって、確認することができる。なお、ステップＳ９においてリモコン制御部３０４は、開始時刻情報、例えば６時３０分を示す情報に、３０分を加算して、ユーザが設定した起床時間である７時を表示するようにしてもよい。
【００３３】
一方、ステップＳ１０において、消灯処理部６１１によって、放電灯７の消灯制御が行われる。具体的には、図４に示すように、ステップＳ１において受信部６０１によって設定信号が受信された設定時刻Ｔ０から予め設定された所定の時間ｔ１経過後の時刻Ｔ１になったことが、消灯処理部６１１によって、時計部６０５が参照されて検出される。そうすると、消灯処理部６１１からの制御信号に応じて点灯回路５から放電灯７への電力供給が停止され、時刻Ｔ１に放電灯７が消灯される。
【００３４】
この場合、ユーザがリモコン装置３を用いて設定指示を入力するのは就寝直前である可能性が高いので、受信部６０１によって設定時刻Ｔ０から時間ｔ１経過後に放電灯７を消灯することにより、照明の消し忘れを低減することができる。なお、リモコン装置３における操作部３０１は、ユーザによる時刻Ｔ１の設定入力を受け付け、操作部３０１で受け付けられた時刻Ｔ１を示す情報を含んだ設定信号が、リモコン送信部３０５から照明装置２における受信部６０１へ送信され、消灯処理部６１１によって受信部６０１で受信された設定信号に含まれる時刻Ｔ１に基づいて放電灯７が消灯される構成としてもよい。これにより、ユーザは、リモコン装置３を用いて放電灯７の時刻Ｔ１を設定することができる。
【００３５】
また、上述のユーザが時刻Ｔ１を設定する構成において、リモコン装置３は、例えば現在時刻を計時する図略の時計部を備え、リモコン制御部３０４によって、ユーザが設定した時刻Ｔ１と、図略の時計で得られた現在時刻との差分が所定の時間ｔ１として算出され、当該算出された時間ｔ１を示す情報を含んだ設定信号が、リモコン送信部３０５から照明装置２における受信部６０１へ送信され、消灯処理部６１１によって受信部６０１で受信された設定信号に含まれる時間ｔ１が、図略のタイマによって計時されることにより、設定時刻Ｔ０から時間ｔ１経過後に放電灯７が消灯される構成としてもよい。
【００３６】
また、図５に示すように、消灯処理部６１１によって、時刻Ｔ１に放電灯７が消灯されて代わりに補助照明８が点灯されることにより照明が減光され、さらに例えば予め設定された所定の時間ｔ２経過後に補助照明８が消灯される構成としてもよい。あるいは、図６に示すように、消灯処理部６１１によって、時刻Ｔ１において、放電灯７が設定時刻Ｔ０における照度１よりも暗い照度２に調光されて放電灯７が減光され、さらに例えば予め設定された所定の時間ｔ２経過後に放電灯７が消灯される構成としてもよい。この場合、照度２をユーザが設定可能に構成してもよい。
【００３７】
これにより、ユーザの寝入り端の照明照度を減光状態にすることができるので、例えば真っ暗では眠れないというユーザの快適性を向上することができる。
【００３８】
また、図７に示すように、設定時刻Ｔ０から予め設定された所定の時間ｔ１経過後に放電灯７を消灯状態とするべく、消灯処理部６１１によって、設定時刻Ｔ０における照度１から徐々に調光される減光スイープ調光により放電灯７が減光及び消灯される構成としてもよい。この場合、時間ｔ１経過後に補助照明８を点灯させたり、放電灯７を消灯させずに照度２で維持したりする構成であってもよい。また、減光スイープ中に、消灯処理部６１１からの制御信号に応じて、音声合成回路６０７からメロディの音声信号がスピーカ６０８へ出力され、スピーカ６０８からメロディが流れるようにしてもよい。
【００３９】
また、図８に示すように、消灯処理部６１１は、設定時刻Ｔ０から減光スイープ調光により、放電灯７を照度２まで減光させた後、予め設定された時間ｔ２経過後の時刻Ｔ２まで放電灯７を照度２で維持する構成であってもよい。この場合、放電灯７を照度２で維持する代わりに補助照明８を点灯させてもよい。
【００４０】
これにより、徐々に照度を低下させることができるので、ユーザがリラックスして就寝することが可能となる。また、ユーザが時間ｔ１，ｔ２を設定可能とすれば、ユーザが就寝したい時間に放電灯７を減光、消灯させることができ、さらに就寝中の放電灯７等の連続点灯を抑制できるので、電力消費を低減し得る。さらに、減光スイープ期間中にメロディが流れることにより、ユーザがリラックスしながら睡眠に入ることができる。
【００４１】
次に、ステップＳ１１において、点灯処理部６１２によって、設定記憶部６０４に設定指示情報として記憶されている開始時刻情報と時計部６０５で得られた現在時刻とが参照され、現在時刻が開始時刻情報で示される開始時刻Ｔ３になると（ステップＳ１１でＹＥＳ）、点灯処理部６１２によって設定記憶部６０４に設定指示情報として記憶されている起床プログラムを示す情報が読み出され、点灯処理部６１２によってプログラム記憶部６０３に記憶されている起床プログラムが実行される（ステップＳ１２）。
【００４２】
そして、図４〜図８に示すように、点灯処理部６１２によって起床プログラムが実行されることにより、開始時刻Ｔ３、すなわち設定記憶部６０４に設定指示情報として記憶されている開始時刻である６時３０分から徐々に放電灯７の照度が上昇され、時刻Ｔ４、すなわちユーザが設定した起床時刻である７時に、放電灯７が全点灯状態にされる。
【００４３】
これにより、開始時刻Ｔ３において、点灯処理部６１２は、設定記憶部６０４に記憶されている設定指示情報と、時計部６０５で得られた現在時刻とに基づいて、起床プログラムの実行を開始することができるので、例えばユーザが就寝中にリモコン装置３を倒したり、位置や向きを変えてしまったり、布団を被せてしまう等によって、リモコン装置３から照明装置２への通信ができない状態であっても設定記憶部６０４に設定指示情報として記憶されている開始時刻情報で示される開始時刻Ｔ３に、起床プログラムに基づく点灯制御を開始することができる。
【００４４】
なお、設定記憶部６０４は、複数の設定指示情報を記憶するように構成されていてもよい。例えば、図９に示すように、時刻Ｔ０において、ステップＳ１〜Ｓ５の処理により、設定指示情報として「開始時刻Ｔ３」及び「起床プログラム」が設定された後、時刻Ｔ１０において、ステップＳ１〜Ｓ５と同様にして、例えばユーザをリラックスさせることを目的として放電灯７の光出力レベルを周期的に変化させるための照明制御プログラムである「リラックスプログラム」と、リラックスプログラムを「開始時刻Ｔ１１」、例えば午後３時に起動する旨の開始時刻情報とが設定指示情報として記憶された場合、点灯処理部６１２によって、開始時刻Ｔ３に「起床プログラム」が開始され、開始時刻Ｔ１１に「リラックスプログラム」が開始されるようにしてもよい。
【００４５】
この場合、開始時刻Ｔ３、開始時刻Ｔ１１において、点灯処理部６１２は、設定記憶部６０４に記憶されている設定指示情報と、時計部６０５で得られた現在時刻とに基づいて、それぞれ「起床プログラム」、「リラックスプログラム」の実行を開始することができるので、開始時刻Ｔ３、開始時刻Ｔ１１においてリモコン装置３から照明装置２への通信ができない状態であっても設定記憶部６０４に設定指示情報として記憶されている開始時刻情報で示される時刻に、それぞれ「起床プログラム」、「リラックスプログラム」に基づく点灯制御を開始することができる。
【００４６】
また、設定記憶部６０４は、設定指示情報と対応付けて、その対応付けられた設定指示情報が有効であるか無効であるかを示す設定オンオフ情報を記憶する構成とし、点灯処理部６１２は、有効を示す設定オンオフ情報と対応付けられている設定指示情報について、ステップＳ１１，Ｓ１２における点灯制御動作を実行する一方、無効を示す設定オンオフ情報と対応付けられている設定指示情報については、ステップＳ１１，Ｓ１２における点灯制御動作を実行しないようにしてもい。
【００４７】
そして、リモコン装置３は、設定記憶部６０４に記憶された設定指示情報を有効にさせる設定オン指示及び、設定記憶部６０４に記憶された設定指示情報を無効にさせる設定オフ指示を、操作部３０１によって受け付けた場合に、リモコン制御部３０４は、その受け付けられた設定オン指示、又は設定オフ指示をリモコン送信部３０５から受信部６０１へ送信させ、照明制御部６０６は、受信部６０１で設定オン指示が受け付けられた場合に設定記憶部６０４に記憶された設定指示情報の設定オンオフ情報を有効とし、受信部６０１で設定オフ指示が受け付けられた場合に設定記憶部６０４に記憶された設定指示情報の設定オンオフ情報を無効としてもよい。また、照明制御部６０６は、設定指示情報に基づく点灯処理、例えば起床プログラムが実行された後に、当該設定指示情報の設定オンオフ情報を無効にしてもよい。
【００４８】
これにより、ユーザは、設定指示情報の設定操作を予め行っておき、ユーザが設定した機能を実際に使用したいときに、リモコン装置３を用いて設定オン指示を照明装置２へ送信させることにより予め設定した動作を行わせることができるので、利便性を向上させることができる。例えば、ユーザが毎日同じ設定で照明装置２を動作させる場合であっても、毎回同じ設定操作を繰り返すことなく、リモコン装置３を用いて設定オン指示を照明装置２へ送信させるだけで予め設定した動作を照明装置２に行わせることができるので、利便性が向上する。
【００４９】
また、設定記憶部６０４は、複数の設定指示情報を記憶すると共に、各設定指示情報と対応付けてその対応付けられた設定指示情報が有効であるか無効であるかを示す設定オンオフ情報を記憶する構成とし、リモコン装置３は、設定記憶部６０４に記憶された各設定指示情報に関する設定オン指示、設定オフ指示の入力を受け付けて、その受け付けられた設定オン指示、又は設定オフ指示を設定オンオフ情報としてリモコン送信部３０５から受信部６０１へ送信させ、照明制御部６０６は、受信部６０１で受け付けられた設定オンオフ情報を、対応する設定指示情報の設定オンオフ情報として各設定指示情報を有効、又は無効にするようにしてもよい。
【００５０】
これにより、ユーザは、複数の設定指示情報を設定オン指示及び設定オフ指示によって選択することができるので、利便性を向上させることができる。
【００５１】
また、スイッチ部６０９によって、ユーザからの設定オンオフ情報の入力が受け付けられる構成とし、照明制御部６０６は、受信部６０１で受け付けられた設定オン指示、設定オフ指示に対応する設定指示情報の設定オンオフ情報を有効、又は無効にするようにしてもよい。これにより、例えばリモコン装置３が紛失されたり故障した場合等、リモコン装置３を用いて設定オンオフ情報を照明装置２へ送信することができない場合であっても、ユーザは、スイッチ部６０９を用いて設定オンオフ情報を設定記憶部６０４に設定することが可能となる。
【００５２】
また、設定オンオフ情報の設定入力を受け付けるスイッチは、例えばリモコン送信部３０５と受信部６０１との間で行われる赤外線通信のチャンネルを設定するための図略のチャンネル設定スイッチや、照明制御部６０６の動作を初期化する図略のリセットスイッチ等を用いて、これらのスイッチ操作の組み合わせにより設定オンオフ情報の入力が受け付けられる構成としてもよい。例えば図略のチャンネル設定スイッチと図略のリセットスイッチとが同時にオンされた場合や、図略のチャンネル設定スイッチが予め設定された所定時間、例えば５秒程度オンされ続けた後にリセットスイッチがオンされた場合に、設定オンオフ情報の設定入力が受け付けられる構成としてもよい。これにより、設定オンオフ情報の設定入力専用のスイッチ部６０９を設ける必要が無く、スイッチのコストを低減することができる。
【００５３】
次に、図１０に示すフローチャートを参照して、リモコン制御部３０４によって、設定確認指示が受け付けられた場合の動作について説明する。ユーザが、例えば図４において、設定時刻Ｔ０から開始時刻Ｔ３までの間に、照明装置２に設定された設定指示情報の内容を確認する場合、リモコン装置３における操作部３０１によって、設定確認指示ボタン３０７が押下されたことが検出され、ユーザからの設定確認指示が受け付けられ（ステップＳ２１）、その設定確認指示を収容する設定確認指示信号がリモコン送信部３０５から受信部６０１へ送信される（ステップＳ２２）。
【００５４】
次に、照明装置２における受信部６０１において、リモコン送信部３０５からの設定確認指示信号が受信されると（ステップＳ２３）、照明制御部６０６からの制御信号に応じて、設定記憶部６０４に記憶されている設定指示情報が送信部６０２からリモコン受信部３０６へ送信される（ステップＳ２４）一方、通知処理部６１０によって、設定指示情報が音声合成回路６０７へ出力され、音声合成回路６０７から出力された信号に応じてスピーカ６０８により、例えば「起床プログラムが６時３０分に設定されています」というように、設定指示情報の内容が音声によって報知される（ステップＳ２５）。
【００５５】
また、設定記憶部６０４に複数の設定指示情報が記憶されている場合には、例えば「起床プログラムが６時３０分に設定されています。リラックスプログラムが午後３時に設定されています。」というように、複数の設定指示情報の内容が音声によって報知されるようにしてもよい。これにより、例えばユーザが複数のプログラムを設定したために、どのプログラムが何時に設定されたかを忘れた場合であっても、各プログラムの設定時刻を確認することができる。
【００５６】
なお、通知処理部６１０は、ステップＳ２５において、図３に示すステップＳ７と同様に、例えば点灯回路５から放電灯７への電力供給量を制御して、放電灯７を点滅させたり、放電灯７の調光レベルを視覚的に認識可能な程度の短期間変化させたりする等により、設定指示情報の設定内容を報知するようにしてもよい。
【００５７】
また、ステップＳ２２において、設定確認指示の代わりに時計部６０５により計時されている現在時刻の確認を要求する現在時刻確認指示を、リモコン装置３から照明装置２へ送信させ、ステップＳ２５において、例えば通知処理部６１０によって、時計部６０５から読み出された現在時刻情報が音声合成回路６０７へ出力され、音声合成回路６０７から出力された信号に応じてスピーカ６０８により、例えば「只今１２時３０分です。」というように、時計部６０５の現在時刻が音声によって報知される構成としてもよい。これにより、ユーザは、現在時刻を音声で知ることができると共に、時計部６０５により計時されている時刻を確認することができるので、利便性が向上する。
【００５８】
以下、ステップＳ２６、Ｓ２７におけるリモコン装置３の動作は図３に示すステップＳ８、Ｓ９と同様であるのでその説明を省略する。
【００５９】
次に、図１１に示すフローチャートを参照して、リモコン装置３に設定された設定指示を解除する場合の動作について説明する。ユーザが、例えば図４において、設定時刻Ｔ０から開始時刻Ｔ３までの間に、照明装置２に設定された設定指示を解除する場合、リモコン装置３における操作部３０１によって、設定解除指示ボタン３０８が２つとも同時に押下されたことが検出されることによりユーザからの設定解除指示が受け付けられ（ステップＳ３１）、その設定解除指示を収容する設定解除指示信号がリモコン送信部３０５から受信部６０１へ送信される（ステップＳ３２）。
【００６０】
この場合、ユーザが設定解除指示ボタン３０８を複数、例えば２つとも同時に押下しなければ、設定解除指示が受け付けられないので、ユーザが誤操作により誤って照明装置２に設定された設定指示を解除してしまうことを抑制することができる。
【００６１】
次に、照明装置２における受信部６０１において、リモコン送信部３０５からの設定解除指示信号が受信されると（ステップＳ３３）、通知処理部６１０によって、設定記憶部６０４に記憶されている設定指示情報に基づく制御信号が音声合成回路６０７へ出力され、音声合成回路６０７から出力された信号に応じてスピーカ６０８により、例えば「起床プログラムを解除してもよろしいですか？」というように、設定解除の確認メッセージが音声によって報知される（ステップＳ３４）。
【００６２】
そして、リモコン装置３において、再びステップＳ３１，Ｓ３２の処理により、ユーザからの設定解除指示が受け付けられて設定解除指示信号が送信され、照明装置２における受信部６０１において、リモコン送信部３０５からの設定解除指示信号が受信されると（ステップＳ３５でＹＥＳ）、通知処理部６１０によって、設定記憶部６０４に記憶されている設定指示情報に基づく制御信号が音声合成回路６０７へ出力され、音声合成回路６０７から出力された信号に応じてスピーカ６０８により、例えば「７時に設定されていた起床プログラムを解除しました」というように、設定解除の確認メッセージが音声によって報知され（ステップＳ３６）、照明制御部６０６によって設定記憶部６０４に記憶されている設定指示情報が消去されることによって設定指示が解除される（ステップＳ３７）。
【００６３】
これにより、解除される設定指示内容が音声で報知されるので、ユーザは、解除の対象となる設定指示内容を確認することができ、誤って設定を解除してしまうことが抑制される。また、ユーザが設定解除指示操作を２回行わなければ設定指示が解除されないので、誤って設定解除指示操作を１回してしまった場合であっても、誤って設定指示が解除されることを抑制することができる。
【００６４】
なお、通知処理部６１０は、ステップＳ３４、Ｓ３６において、図３に示すステップＳ７と同様に、例えば点灯回路５から放電灯７への電力供給量を制御して、放電灯７を点滅させたり、放電灯７の調光レベルを視覚的に認識可能な程度の短期間変化させたりする等により、設定指示情報の設定内容を報知するようにしてもよい。また、照明制御部６０６は、ステップＳ３４、Ｓ３５の処理を行わず、ステップＳ３３の後、ステップＳ３６に移行して設定指示を解除する構成としてもよい。
【００６５】
また、リモコン装置３に、現在時刻を計時する図略のリモコン側時計部をさらに備え、リモコン装置３から照明システム１へ何らかの操作指示が送信された場合、例えば設定信号、設定確認指示信号、設定解除指示信号、設定オンオフ情報等の他、放電灯７の全点灯、調光点灯等を指示する制御信号等が送信された場合、リモコン装置３からこれらの指示信号と共に図略のリモコン側時計部で得られた現在時刻情報が送信され、照明制御部６０６は、これらの指示信号が受信された際に受信した現在時刻情報に基づき、時計部６０５の現在時刻を再設定する構成としてもよい。
【００６６】
例えば、照明装置２が屋内の天井に取り付けられる場合、建物の壁面に取り付けられた壁スイッチを介して商用電源電圧が供給される構成とされる場合が多いが、このような場合には、壁スイッチがオフされると照明装置２には全く電力が供給されないため、時計部６０５が時間の計時を継続するためには時計部６０５の動作用の電池を備えたり、壁スイッチがオンされて電力の供給が開始された際に時計部６０５の時刻を合わせることができる電波時計を備えることが必要となり、コストが上昇してしまうという不都合がある。
【００６７】
しかし、上述のように、リモコン装置３から照明システム１へ何らかの操作指示が送信された場合に時計部６０５の現在時刻が再設定される構成とすれば、ユーザが意識的に時計部６０５の現在時刻を再設定する操作を行うことなく、何らかのリモコン操作が行われた際に、時計部６０５の現在時刻が再設定されるので、時計部６０５の動作用の電池を備えたり、電波時計等を備えることなく時計部６０５の時刻合わせを行うことができ、コストを低減することができる。また、設定信号の送信時には開始時刻情報を送信して現在時刻情報を送信せず、設定信号を除く操作指示が送信された場合に現在時刻情報が送信される構成とすれば、各操作指示の送信に用いられる信号のデータ長を各操作指示間で揃えることが容易となるため、各操作指示における処理対象の通信データ長を統一することが容易となる結果、照明装置２とリモコン装置３との間で行われる通信処理を簡素化することが容易となる。
【００６８】
また、照明制御部６０６は、設定時刻Ｔ０から開始時刻Ｔ３の間に受信部６０１によって例えば放電灯７の照度を上昇させたり全点灯させる指示（第２の設定指示）等が受け付けられた場合、照明制御部６０６によって、１回目の受信時にはその受信内容に関わらず全点灯状態よりも暗い常夜灯点灯、例えば補助照明８を点灯させたり放電灯７を一定の照度以下の明るさで調光点灯させたり、放電灯７を調光最低限の明るさで調光点灯させる等の制御がされ、さらにもう一度、１回目と同じ指示が受信部６０１によって受け付けられた場合に、照明制御部６０６によって受け付けられた指示内容に応じた動作、例えば放電灯７が全点灯される構成としてもよい。
【００６９】
これにより、例えば設定時刻Ｔ０から開始時刻Ｔ３の間はユーザが就寝中である可能性が高く、ユーザが照明が暗いために操作部３０１のボタン操作を誤ったり、ユーザが寝ぼけている場合等であっても、一度の操作では一定の照度を超える照度にはせず、眩しくない、ユーザを目覚めさせない程度の明るさとし、二度目の操作によって操作指示に基づく動作を行うことができるので、ユーザの誤操作を抑制し、利便性を向上させることができる。なお、照明制御部６０６は、常夜灯を点灯させる指示は一度目の操作を受け付けて実行し、放電灯７の照度を一定の照度を超える照度にすることを要求する指示を受け付けた場合に常夜灯点灯動作をする構成としてもよい。
【００７０】
また、リモコン装置３におけるリモコン制御部３０４は、設定時刻Ｔ０から開始時刻Ｔ３の間に操作部３０１によって、設定指示を入力するための設定ボタンが押下され入力操作が受け付けられた場合、当該設定ボタンが押下されている時間が、予め設定された所定の設定時間に満たない場合は設定指示情報の送信を行わない一方、当該設定時間以上、設定ボタンが継続して押下された場合に、操作部３０１により受け付けられた設定指示情報をリモコン送信部３０５から受信部６０１へ送信させるようにしてもよい。
【００７１】
そして、設定指示を入力するための設定ボタンが押下された時間が、予め設定された設定時間以上継続した場合に、当該設定指示を示す設定指示情報がリモコン装置３から照明装置２へ送信され、照明装置２において照明制御部６０６によって、受信部６０１で受信された設定指示情報が、新たに設定記憶部６０４に記憶されたり、受信された設定指示情報に基づいて既に記憶されている設定指示情報が変更されたりするようにしてもよい。
【００７２】
これにより、ユーザが誤って設定ボタンを押下した場合であっても、設定時間以上設定ボタンを押し続けなければ設定指示情報が送信されないので、ユーザの誤操作を低減することができ、ユーザの安心感を増大させることができる。また、ユーザは、既に設定指示情報が設定されている設定時刻Ｔ０から開始時刻Ｔ３の間に、操作部３０１を用いて、新たな設定指示情報を設定記憶部６０４に記憶させたり、既に記憶されている設定指示情報を変更させたりすることができるので、利便性を向上させることができる。
【００７３】
また、リモコン装置３に、現在時刻を計時する図略のリモコン側時計部をさらに備え、操作部３０１により設定指示を受け付けた際に、上述したように設定信号を照明装置２へ送信し、さらに図略のリモコン側時計部により得られた現在時刻に基づいて、記憶部３０３に記憶されている開始時刻情報で示される開始時刻Ｔ３になったことが検出されると、再び記憶部３０３に記憶されている設定指示情報を照明装置２へ送信して、開始時刻Ｔ３に設定指示情報で示される照明制御プログラム、例えば起床プログラムを実行させるようにしてもよい。
【００７４】
このように、リモコン装置３は、設定指示の操作入力を受け付けた際に設定指示情報を照明装置２へ送信し、照明制御プログラムの実行開始時刻にも設定指示情報を照明装置２へ送信することにより、例えば設定時刻Ｔ０から開始時刻Ｔ３の間に、例えば落雷等による瞬時停電や、照明装置２の誤動作等によって設定記憶部６０４に記憶されていた設定指示情報が消去されてしまった場合であっても、点灯処理部６１２により開始時刻Ｔ３に起床プログラムを実行開始させることができ、照明装置２による点灯開始動作の確実性を向上させることができる。
【００７５】
（第２実施形態）
次に、本発明の第２の実施形態に係る照明システムについて説明する。図１２は、本発明の第２の実施形態に係る照明システム１ａの構成の一例を示すブロック図である。図１２に示す照明システム１ａと図２に示す照明システム１とでは、下記の点で異なる。すなわち、図１２に示す照明システム１ａでは、照明装置２ａは、照明制御部６０６ａが、時計部６０５を備えず、例えば発振器６１３から供給されたクロック信号に基づき動作するタイマ回路を内蔵したマイクロコントローラを用いて構成されており、照明制御部６０６ａは、例えばマイクロコントローラが内蔵するタイマ回路を用いて構成されたタイマ部６１４を備える。また、リモコン装置３ａは、時計部６０５と同様に構成された時計部３０９を備える。
【００７６】
その他の構成は図２に示す照明システム１と同様であるのでその説明を省略し、以下本実施形態の動作について説明する。図３に示すフローチャートを参照して、図１２に示すリモコン装置３ａは、ステップＳ３において、リモコン制御部３０４によって、記憶部３０３に記憶されている開始時刻情報と時計部３０９で得られた現在時刻との差分がタイマ値として算出され、この算出されたタイマ値と、起床プログラムを示す情報と、現在時刻を示す現在時刻情報とを設定指示情報として収容する設定信号が、リモコン送信部３０５から受信部６０１へ送信される。
【００７７】
そして、ステップＳ５において、照明装置２における照明制御部６０６によって、受信部６０１で受信された設定信号に収容された設定指示情報、すなわちタイマ値と、起床プログラムを示す情報と、現在時刻情報とが設定記憶部６０４に記憶され、さらに受信部６０１で受信された設定信号に収容された設定指示情報のうちタイマ値が、タイマ部６１４に設定されると共に、タイマ部６１４による当該タイマ値のダウンカウントが開始される。
【００７８】
なお、リモコン制御部３０４によって、開始時刻情報と、起床プログラムを示す情報と、現在時刻を示す現在時刻情報とを設定指示情報として収容する設定信号がリモコン送信部３０５から受信部６０１へ送信され、照明制御部６０６によって、受信部６０１で受信された設定信号に収容された開始時刻情報と現在時刻情報との差分がタイマ値（設定時間）としてタイマ部６１４に設定される構成としてもよい。
【００７９】
また、ステップＳ７において、通知処理部６１０によって、設定記憶部６０４に記憶された現在時刻情報とタイマ値とが加算されることによって開始時刻Ｔ３が算出され、算出された開始時刻Ｔ３に基づき、例えば「起床プログラムを６時３０分に設定しました」というように、設定指示情報の内容が音声によって報知される。そして、ステップＳ１１において、タイマ部６１４がタイムアップしたとき、ステップＳ１２へ移行する。
【００８０】
他の動作は図３に示すフローチャートを同様であるので、その説明を省略する。これにより、図１２に示す照明システム１ａは、図２に示す照明システム１と同様に、開始時刻Ｔ３において、点灯処理部６１２は、設定記憶部６０４に記憶されている設定指示情報と、タイマ部６１４による計時時間とに基づいて、起床プログラムの実行を開始することができるので、例えばユーザが就寝中にリモコン装置３ａを倒したり、位置や向きを変えてしまったり、布団を被せてしまう等によって、リモコン装置３ａから照明装置２ａへの通信ができない状態であっても設定記憶部６０４に設定指示情報として記憶されている開始時刻情報で示される開始時刻Ｔ３に、起床プログラムに基づく点灯制御を開始することができる。
【００８１】
なお、上述の図２に示す照明システム１と同様に、設定指示情報と対応付けられた設定オンオフ情報に基づいてステップＳ１１，Ｓ１２における点灯制御動作が実行される構成において、リモコン制御部３０４は、設定指示情報を照明装置２ａへ送信する際に開始時刻情報をリモコン送信部３０５から受信部６０１へ送信させ、その開始時刻情報がステップＳ５において設定記憶部６０４に記憶され、リモコン制御部３０４は、設定オンオフ情報をリモコン送信部３０５から受信部６０１へ送信させる際に設定オンオフ情報と共に時計部３０９で得られた現在時刻情報を送信させる構成とし、照明制御部６０６ａは、受信部６０１により設定オンオフ情報が受信された際に当該設定オンオフ情報と共に受信された現在時刻情報と設定記憶部６０４に記憶されている開始時刻情報との差分をタイマ値としてタイマ部６１４に設定し、タイマ部６１４による当該タイマ値のダウンカウントを開始させる構成としてもよい。
【００８２】
この場合、リモコン制御部３０４から設定オンオフ情報が送信される都度、最新の現在時刻情報が送信され、その現在時刻情報に基づきタイマ部６１４によるタイマ値のダウンカウントが再スタートされるので、設定オンオフ情報の送信と共にタイマ部６１４のタイマ値が最新の現在時刻情報に基づき補正され、タイマ部６１４として低精度のタイマ回路を用いることができ、コストを低減することができる。
【００８３】
（第３実施形態）
次に、本発明の第３の実施形態に係る照明システムについて説明する。図１３は、本発明の第３の実施形態に係る照明システム１ｂの構成の一例を示すブロック図である。図１３に示す照明システム１ｂと図１２に示す照明システム１ａとでは、下記の点で異なる。すなわち、図１３に示す照明システム１ｂでは、照明装置２ｂは、照明制御部６０６ｂが、例えばカウンタ回路を内蔵したマイクロコントローラを用いて構成されており、照明制御部６０６ｂは、タイマ部６１４の代わりに、例えばマイクロコントローラが内蔵するカウンタ回路を用いて構成されたカウンタ部６１５を備える。カウンタ部６１５は、例えば設定されたカウント値を減算カウントするダウンカウンタである。また、カウンタ部６１５には、商用交流電源ＡＣのいわゆるゼロクロスタイミングを検出する電源周期検出部６１６が接続されている。さらに、照明制御部６０６ｂには、例えば不揮発性メモリであるＥＥＰＲＯＭ（Electrically Erasable and Programmable Read Only Memory）によって構成された電源断記憶部６１７が接続されている。
【００８４】
図１４は、電源周期検出部６１６の構成の一例を説明するためのブロック図である。図１４に示す電源周期検出部６１６は、商用交流電源電圧ＡＣを全波整流した整流電圧Ｖａを出力する整流器６１８と、整流電圧Ｖａが予め設定された所定の基準電圧Ｖref以下のとき検知信号Ｖｂをハイレベルでカウンタ部６１５へ出力する比較器６１９とを備える。これにより、図１５に示すように、整流電圧Ｖａの脈流谷部と同期したパルス信号が、検知信号Ｖｂとして得られる。すなわち、検知信号Ｖｂは、商用交流電源電圧ＡＣにおける周期の１／２周期を有する周期パルス信号となる。
【００８５】
この場合、商用交流電源電圧ＡＣが５０Ｈｚであれば検知信号Ｖｂのパルス周期は１０．０ｍｓｅｃ（ミリ秒）であり、６０Ｈｚであれば検知信号Ｖｂのパルス周期は８．３３ｍｓｅｃ（ミリ秒）である。
【００８６】
そして、カウンタ部６１５は、検知信号Ｖｂのパルス信号をカウントすることにより、タイマーとして機能し、カウンタ部６１５のカウンタ値が図１２に示すタイマ部６１４のタイマ値に相当する。この場合、商用交流電源電圧ＡＣが５０Ｈｚであるか６０Ｈｚであるかによって、１カウント分に相当する時間が異なるので、商用交流電源電圧ＡＣの供給が開始された際に、照明制御部６０６ｂは、検知信号Ｖｂを用いて商用交流電源電圧ＡＣの周波数を判別し、カウンタ部６１５のカウント値を補正するようにしてもよい。また、検知信号Ｖｂのパルスがなくなったことを検出することにより、停電等による電源断を検知することができるので、電源周期検出部６１６は、電源断を検知するための電源断検知部としても機能する。この場合、照明装置２ｂに、停電検知や復電検知機能を付加する場合、電源周期検出部６１６を電源断検知部として併用することができる。
【００８７】
これにより、図１３に示す照明装置２ｂは、図１２に示す照明装置２ａと同様に動作するので、開始時刻Ｔ３において、点灯処理部６１２は、設定記憶部６０４に記憶されている設定指示情報と、カウンタ部６１５による計時時間とに基づいて、起床プログラムの実行を開始することができ、例えばユーザが就寝中にリモコン装置３ｂを倒したり、位置や向きを変えてしまったり、布団を被せてしまう等によって、リモコン装置３ｂから照明装置２ｂへの通信ができない状態であっても設定記憶部６０４に設定指示情報として記憶されている開始時刻情報で示される開始時刻Ｔ３に、起床プログラムに基づく点灯制御を開始することができる。
【００８８】
また、図１３に示す照明システム１ｂは、停電等の電源断時に設定指示情報を回復する電源断回復動作を行う。図１６は、照明システム１ｂによる電源断回復動作を説明するためのフローチャートである。まず、照明制御部６０６ｂによって、電源周期検出部６１６から出力された検知信号Ｖｂのパルスがなくなったことが検出されることにより、電源断が検知されると（ステップＳ４１でＹＥＳ）、照明制御部６０６ｂによって、電源断記憶部６１７に電源断が発生した旨の情報が記憶される（ステップＳ４２）。
【００８９】
そして、電源断によって、電源回路部２１から制御ブロック６ｂの動作用電源電圧が供給されなくなると、設定記憶部６０４に記憶されていた設定指示情報や、カウンタ部６１５に設定されていたカウンタ値が保持されず、初期化されてしまう。そうすると、照明制御部６０６ｂは、開始時刻Ｔ３になっても起床プログラムを実行することができない。
【００９０】
そこで、停電等の電源断が解消して復電し、電源回路部２１から制御ブロック６ｂへ動作用電源電圧が供給されると、まず照明制御部６０６ｂによって、電源断記憶部６１７が読み出され、電源断が発生した旨の情報が記憶されていなければ（ステップＳ４４でＮＯ）、通常の処理において再び電源断を検知するべくステップＳ４１へ移行し、電源断が発生した旨の情報が記憶されていれば（ステップＳ４４でＹＥＳ）、設定指示情報の再送を指示する再送要求信号を、送信部６０２からリモコン受信部３０６へ送信する（ステップＳ４５）。
【００９１】
一方、リモコン装置３ｂでは、リモコン受信部３０６によって、送信部６０２からの再送要求信号が受信され（ステップＳ４６）、リモコン制御部３０４ｂによって記憶部３０３に記憶されている設定指示情報を収容する設定信号（第１の設定信号）がリモコン送信部３０５から受信部６０１へ送信される（ステップＳ４７）。そして、照明装置２ｂにおける受信部６０１において、リモコン送信部３０５からの設定信号が受信されると（ステップＳ４８でＹＥＳ）、受信された設定信号に収容されている設定指示情報が設定記憶部６０４に記憶され、さらに設定指示情報に含まれるカウント値がカウンタ部６１５に設定される（ステップＳ４９）。
【００９２】
これにより、停電等による電源断が有った場合であっても、復電後にリモコン装置３ｂにおける不揮発性の記憶部３０３に記憶されている設定指示情報に基づいて動作を継続することができるので、開始時刻Ｔ３に起床プログラムに基づく点灯制御を開始することができる。
【００９３】
他方、ステップＳ４８において、例えばユーザが就寝中にリモコン装置３ｂを倒したり、位置や向きを変えてしまったり、布団を被せてしまう等によって、リモコン装置３ｂから照明装置２ｂへの設定指示情報が、受信部６０１によって受信されない場合（ステップＳ４８でＮＯ）、通知処理部６１０によって、エラーを報知するための信号が音声合成回路６０７へ出力され、音声合成回路６０７から出力された信号に応じてスピーカ６０８により、例えば「設定された照明制御プログラムを実行することができません」というように、照明制御プログラムを実行できない旨、音声によって報知される（ステップＳ５０）。この場合、ステップＳ７と同様に、音声以外の方法によって、照明制御プログラムを実行できない旨、報知される構成としてもよい。
【００９４】
これにより、停電等の電源断によって、設定された照明制御プログラムを実行することができない場合に、その旨ユーザに報知することができるので、ユーザの利便性、安心感を向上することができる。
【００９５】
（第４実施形態）
次に、本発明の第４の実施形態に係る照明システムについて説明する。図１７は、本発明の第４の実施形態に係る照明システム１ｃの構成の一例を示すブロック図である。図１７に示す照明システム１ｃと上述の照明システム１，１ａ，１ｂとでは、下記の点で異なる。すなわち、図１７に示す照明システム１ｃは、送信部６０２を備えず、点灯回路５ａは、照明制御部６０６からの送信信号ＳＤに基づいて、放電灯７から発する光を変調させることにより、放電灯７から発する光に送信信号ＳＤを重畳してリモコン装置３ｃへ送信する。
【００９６】
リモコン装置３ｃにおいて、重畳情報取得部の一例であるリモコン受信部３０６ａは、放電灯７から発する光を受光して、その光に重畳されている送信信号ＳＤを検出することにより、送信信号ＳＤを受信する。この場合、送信信号ＳＤは、例えば、図３に示すステップＳ６及び図１０に示すステップＳ２４で照明装置２からリモコン装置３へ送信される設定信号、図１６に示すステップＳ４５で照明装置２ｂからリモコン装置３ｂへ送信される再送要求信号等である。
【００９７】
図１８は、点灯回路５ａの一例を示すブロック図である。図１８に示す点灯回路５ａは、例えば、商用交流電源電圧ＡＣからノイズを除去するフィルタ回路５０１、フィルタ回路５０１によりノイズ除去された交流電圧を整流する整流回路５０２、整流回路５０２で整流された電圧を直流電圧に変換するチョッパ回路５０３、チョッパ回路５０３の動作を制御するチョッパ制御回路５０４、チョッパ回路５０３の出力電圧を平滑するコンデンサ５０５、コンデンサ５０５の両端間に接続されたトランジスタＱ１，Ｑ２の直列回路、トランジスタＱ２の出力端子間に接続されたコンデンサＣ１、インダクタＬ１、コンデンサＣ２の直列回路を備え、コンデンサＣ２と並列に、放電灯７が接続されている。
【００９８】
また、トランジスタＱ１，Ｑ２のゲートには、調光変調部５０６が接続されている。調光変調部５０６は、照明制御部６０６から出力された調光信号ＳＣに応じて、放電灯７から発する光を変調して調光信号ＳＣを当該光に重畳させるもので、照明制御部６０６から出力された調光信号ＳＣを受信する調光信号Ｉ／Ｆ５０７と、発振回路５０８と、発振回路５０８の発振動作を制御する発振制御回路５０９と、照明制御部６０６から出力された送信信号ＳＤに基づいて、発振回路５０８から出力された周期信号に基づきトランジスタＱ１，Ｑ２をオン、オフさせるデューティ比を設定するデューティ比設定回路５１０と、デューティ比設定回路５１０から出力された制御信号に基づいて、トランジスタＱ１，Ｑ２を交互にオン、オフさせるドライバ回路５１１とを備える。
【００９９】
次に、上述のように構成された点灯回路５ａの動作を説明する。図１９は、点灯回路５ａの動作を説明するための信号波形図である。まず、照明制御部６０６から出力された送信信号ＳＤがローレベルの場合、又は信号入力が無い場合、図１９（ａ）に示すように、デューティ比設定回路５１０によって、発振回路５０８から出力された周期信号の周期の略半分がオンしたデューティ５０％の制御信号がドライバ回路５１１へ出力され、ドライバ回路５１１によって、トランジスタＱ１，Ｑ２が、互いに同じ時間オンするように、交互にオン、オフされる。そうすると、放電灯７に流れるランプ電流Ｉlaの波形は、図１９（ａ）に示すように正弦波状になって高調波歪みは発生せず、従って、放電灯７から発する光にも高調波歪みは重畳されない。
【０１００】
一方、照明制御部６０６から出力された送信信号ＳＤがハイレベルの場合、図１９（ｂ）に示すように、デューティ比設定回路５１０によって、トランジスタＱ２のオン比率を大きくするべく発振回路５０８から出力された周期信号のデューティが変化された制御信号がドライバ回路５１１へ出力され、ドライバ回路５１１によって、トランジスタＱ２のオン比率がトランジスタＱ１のオン比率より大きくなるように、交互にオン、オフされる。そうすると、放電灯７に流れるランプ電流Ｉlaの波形は、図１９（ｂ）に示すように高調波歪みが発生し、従って、放電灯７から発する光にも高調波歪み成分が重畳される。
【０１０１】
これにより、放電灯７から発する光が変調され、放電灯７から発する光に送信信号ＳＤが重畳されてリモコン装置３ｃへ送信される。そして、リモコン装置３ｃでは、リモコン受信部３０６ａによって、放電灯７から発する光における高周波歪みの周波数成分が信号として受信され、当該高周波歪みの周波数成分の有無が信号のハイ、ローレベルに変換されることにより、送信信号ＳＤが受信される。
【０１０２】
一方、放電灯７の調光制御は、照明制御部６０６から出力された調光信号ＳＣに応じて発振回路５０８から出力される周期信号の周波数を変化させてトランジスタＱ１，Ｑ２のオン、オフ周波数を変化させることにより行われるため、送信信号ＳＤの重畳とは独立して行うことができる。周波数調光は、全点灯の周波数、例えば５０ｋＨｚから、１００ｋＨｚ程度の範囲で周波数を変化させることにより行われるが、ランプ電流Ｉlaの高調波歪みの成分は、より高い周波数帯域、例えば基本周波数の２倍以上の周波数である１００〜５００ｋＨｚ程度となるため、ランプを点灯させる周波数と送信信号ＳＤが重畳される信号の高調波成分とは周波数によって分別可能となり、トランジスタＱ１，Ｑ２のオン、オフ周波数を変化させて調光を行う連続調光型放電灯点灯装置においても、放電灯７から発する光に送信信号ＳＤを重畳させることができる。
【０１０３】
これにより、放電灯７から発する光に送信信号ＳＤを重畳させることができるので、送信部６０２により例えば赤外線ＬＥＤのように指向性のある光信号を用いて照明装置２からリモコン装置３へ送信信号ＳＤを送信する場合よりも、照明装置２ｃとリモコン装置３ｃとの間の位置関係に関わりなく、送信信号ＳＤを送受信することができるので、照明装置２ｃからリモコン装置３ｃへの送信信号ＳＤにおける送信動作の確実性を向上させることができる。
【図面の簡単な説明】
【０１０４】
【図１】本発明の一実施形態に係る照明システムの構成の一例を示す外観図である。
【図２】図１に示す照明システムの構成の一例を示すブロック図である。
【図３】図２に示す照明システムの動作の一例を示すフローチャートである。
【図４】図２に示す照明システムの動作の一例を説明するための説明図である。
【図５】図２に示す照明システムの動作の一例を説明するための説明図である。
【図６】図２に示す照明システムの動作の一例を説明するための説明図である。
【図７】図２に示す照明システムの動作の一例を説明するための説明図である。
【図８】図２に示す照明システムの動作の一例を説明するための説明図である。
【図９】図２に示す照明システムの動作の一例を説明するための説明図である。
【図１０】図２に示す照明システムにおける設定確認動作の一例を示すフローチャートである。
【図１１】図２に示す照明システムにおける設定指示解除動作の一例を示すフローチャートである。
【図１２】本発明の第２の実施形態に係る照明システムの構成の一例を示すブロック図である。
【図１３】本発明の第３の実施形態に係る照明システムの構成の一例を示すブロック図である。
【図１４】図１３に示す電源周期検出部の構成の一例を説明するためのブロック図である。
【図１５】図１４に示す電源周期検出部の動作を説明するための説明図である。
【図１６】図１３に示す照明システムによる電源断回復動作を説明するためのフローチャートである。
【図１７】本発明の第４の実施形態に係る照明システムの構成の一例を示すブロック図である。
【図１８】図１７に示す点灯回路の一例を示すブロック図である。
【図１９】図１８に示す点灯回路の動作を説明するための信号波形図である。
【符号の説明】
【０１０５】
１，１ａ，１ｂ,１ｃ 照明システム
２，２ａ，２ｂ，２ｃ  照明装置
３，３ａ，３ｂ，３ｃ  リモコン装置
４    筐体
５，５ａ  点灯回路
６，６ａ，６ｂ，６ｃ  制御ブロック
７    放電灯
８    補助照明
２１  電源回路部
３０１  操作部
３０２  表示部
３０３  記憶部
３０４，３０４ｂ  リモコン制御部
３０５  リモコン送信部
３０６，３０６ａ  リモコン受信部
３０７  設定確認指示ボタン
３０８  設定解除指示ボタン
３０９  時計部
５０６  調光変調部
６０１  受信部
６０２  送信部
６０３  プログラム記憶部
６０４  設定記憶部
６０５  時計部
６０６，６０６ａ，６０６ｂ  照明制御部
６０７  音声合成回路
６０８  スピーカ
６０９  スイッチ部
６１０  通知処理部
６１１  消灯処理部
６１２  点灯処理部
６１３  発振器
６１４  タイマ部
６１５  カウンタ部
６１６  電源周期検出部
６１７  電源断記憶部
６１８  整流器
６１９  比較器
【図１】
2006059667.tif 000003
【図２】
2006059667.tif 000004
【図３】
2006059667.tif 000005
【図４】
2006059667.tif 000006
【図５】
2006059667.tif 000007
【図６】
2006059667.tif 000008
【図７】
2006059667.tif 000009
【図８】
2006059667.tif 000010
【図９】
2006059667.tif 000011
【図１０】
2006059667.tif 000012
【図１１】
2006059667.tif 000013
【図１２】
2006059667.tif 000014
【図１３】
2006059667.tif 000015
【図１４】
2006059667.tif 000016
【図１５】
2006059667.tif 000017
【図１６】
2006059667.tif 000018
【図１７】
2006059667.tif 000019
【図１８】
2006059667.tif 000020
【図１９】
2006059667.tif 000021